(57)【要約】【課題】コマーシャル放送になっている間だけ、他のチャンネルをチェックするつもりが、チャンネルリターン釦で元のチャンネルに戻ってみると、既に見たい場面が終ってしまっていると言う事が多々ある。【解決手段】リモコン１で所定のリモコン釦が所定時間以上押し続けられたと判断した時，現在の受信チャンネルがチャンネル記憶手段８に記憶されると共に減算タイマ９の時間設定を行う。その後、他の色々なチャンネルを選局しても、最初に設定しておいた減算タイマ９の時間が経過すれば、チャンネル記憶手段８に記憶された元のチャンネルに戻る。【選択図】　図１
2004080655.tif 000002
【特許請求の範囲】
【請求項１】
チャンネルを記憶しておくチャンネル記憶手段と、時間設定が可能な減算タイマと、設定された時間を表示する画面表示手段を備えたポジション方式の選局装置に於いて、
現在受信しているチャンネルに対応するリモコン釦を所定時間以上押し続けたとき、この受信チャンネルが前記チャンネル記憶手段に記憶されると共に、初期設定された減算タイマー時間が前記画面表示手段に表示され、更に前記リモコン釦を押す毎に段階的に前記減算タイマの時間設定とその画面表示が行えて、この設定された減算タイマの時間が経過した後自動的に記憶された元のチャンネルに戻る事を特徴とするポジション方式の選局装置。
【請求項２】
チャンネルを記憶しておくチャンネル記憶手段と、時間設定が可能な減算タイマと、設定された時間を表示する画面表示手段を備えたダイレクト方式の選局装置に於いて、
現在の受信チャンネルのチャンネル番号の最後の桁のリモコン釦を一定時間以上押し続けたとき、現在の受信チャンネルが前記チャンネル記憶手段に記憶されると共に、初期設定された減算タイマー時間が前記画面表示手段に表示され、更に前記リモコン釦を押す毎に段階的に前記減算タイマの時間設定とその画面表示が行えて、この設定された減算タイマの時間が経過した後自動的に記憶された元のチャンネルに戻る事を特徴とするダイレクト方式の選局装置。
【請求項３】
チャンネルを記憶しておくチャンネル記憶手段と、時間設定が可能な減算タイマと、設定された時間を表示する画面表示手段を備え、リモコンに設けられたチャンネルリターン釦を所定時間以上押し続けたとき、現在の受信チャンネルが記憶されると共に、現在の受信チャンネルが前記チャンネル記憶手段に記憶されると共に、初期設定された減算タイマー時間が前記画面表示手段に表示され、更に前記リモコン釦を押す毎に段階的に前記減算タイマの時間設定とその画面表示が行えて、この設定された減算タイマの時間が経過した後自動的に記憶された元のチャンネルに戻る事を特徴とする選局装置。
【発明の詳細な説明】
【０００１】
【発明の属する技術分野】
本発明は、テレビジョン受信機等において、視聴していた元のチャンネルに戻るチャンネルリターン機能を有した選局装置に関するものである。
【０００２】
【従来の技術】
従来のチャンネルリターン機能は特開平９−８６０５号公報に記載されたものが知られている。これによると、チャンネルリターンキーを基準時間以上押すことで現在視聴しているチャンネルが記憶され、その後他の色々なチャンネルを選局してもチャンネルリターン釦を押せば簡単に設定された元のチャンネルに戻れるという機能が実現されるものである。
【０００３】
【発明が解決しようとする課題】
しかしながら上記従来の技術では、この機能を使って、現在視聴しているチャンネルがコマーシャル放送になっている間だけ、他の色々なチャンネルをチェックするつもりであっても、いざチャンネルリターン釦で元のチャンネルに戻ってみると、コマーシャルの長さや本数がまちまちであるために、既にコマーシャル後の見たい場面が終わってしまっているということが頻繁に発生するという問題点を有していた。
【０００４】
本発明は上記従来の問題点を解決するもので、この様な元のチャンネルへの戻り忘れや遅れによる、見たい場面の見逃しを防止する機能を備えた選局装置を提供することを目的とする。
【０００５】
【課題を解決するための手段】
上記目的を達成するために本発明は、所定のリモコン釦が一定時間以上押し続けられたと判断した時，、現在の受信チャンネルが記憶されると共に、ＯＳＤ画面に例えば３０秒と表示し、更にそのリモコン釦を押す毎に３０秒→１分→１分３０秒→２分→２分３０秒→３０秒と言う具合に減算タイマの時間設定ができ、その後、他の色々なチャンネルを選局しても、最初に設定しておいた減算タイマの時間が経過すれば、自動的に元のチャンネルに戻るようにしたもので、これにより元のチャンネルへの戻り忘れや遅れによる、見たい場面の見逃しを防止する機能を備えた選局装置が得られる。
【０００６】
【発明の実施の形態】
本発明の請求項１に記載の発明は、チャンネルを記憶しておくチャンネル記憶手段と、時間設定が可能な減算タイマと、設定された時間を表示する画面表示手段を備えたポジション方式の選局装置に於いて、
現在受信しているチャンネルに対応するリモコン釦を所定時間以上押し続けたとき、この受信チャンネルが前記チャンネル記憶手段に記憶されると共に、初期設定された減算タイマー時間が前記画面表示手段に表示され、更に前記リモコン釦を押す毎に段階的に前記減算タイマの時間設定とその画面表示が行えて、この設定された減算タイマの時間が経過した後自動的に記憶された元のチャンネルに戻る事を特徴とするもので、対応するチャンネル釦を押すだけで自動的にもとのチャンネルに戻るという作用を有するものである。
また請求項２に記載の発明は、チャンネルを記憶しておくチャンネル記憶手段と、時間設定が可能な減算タイマと、設定された時間を表示する画面表示手段を備えたダイレクト方式の選局装置に於いて、
現在の受信チャンネルのチャンネル番号の最後の桁のリモコン釦を一定時間以上押し続けたとき、現在の受信チャンネルが前記チャンネル記憶手段に記憶されると共に、初期設定された減算タイマー時間が前記画面表示手段に表示され、更に前記リモコン釦を押す毎に段階的に前記減算タイマの時間設定とその画面表示が行えて、この設定された減算タイマの時間が経過した後自動的に記憶された元のチャンネルに戻る事を特徴とするもので、ダイレクト選局でも自動的にもとのチャンネルに戻ることができるという作用を有するものである。
【０００７】
また請求項３に記載の発明は、チャンネルを記憶しておくチャンネル記憶手段と、時間設定が可能な減算タイマと、設定された時間を表示する画面表示手段を備え、リモコンに設けられたチャンネルリターン釦を所定時間以上押し続けたとき、現在の受信チャンネルが記憶されると共に、現在の受信チャンネルが前記チャンネル記憶手段に記憶されると共に、初期設定された減算タイマー時間が前記画面表示手段に表示され、更に前記リモコン釦を押す毎に段階的に前記減算タイマの時間設定とその画面表示が行えて、この設定された減算タイマの時間が経過した後自動的に記憶された元のチャンネルに戻る事を特徴とするもので、チャンネルリターンキーを利用することで自動的にもとのチャンネルに戻るという作用を有するものである。
【０００８】
（実施の形態）
以下に、本発明の実施例について図面を参照して詳細に説明する。
図１は本発明がテレビジョン受信機等に内蔵された概略ブロック図である。
リモコン１でチャンネルを選局する為に所定のリモコン釦が（ポジション方式の選局装置に於いては、現在の受信チャンネルと同じチャンネル設定のリモコン釦，ダイレクト方式の選局装置に於いては、現在の受信チャンネルと同じチャンネル番号の最後の桁のリモコン釦，専用のチャンネルリターン釦を設けている場合はその釦を指す）を一定時間以上押し続けたとき、受光部２及びリモコンコード解読部４を経由して該リモコン釦のコードがＣＨリターン処理部５に送られ、更にその釦が所定の時間以上押し続けられたと判断された時，現在の受信チャンネルがチャンネル記憶手段８に記憶されると共に、画面表示手段７によって、画面に例えば“３０”秒と表示され、更にそのリモコン釦を押す毎に３０秒→１分→１分３０秒→２分→２分３０秒→３０秒と言う具合に減算タイマ９の時間設定が段階的に行われる。受信しているチャンネルでコマーシャルの時間になった時に、ユーザーがその後他の色々なチャンネルを選局して見ているとしても、最初に設定しておいた減算タイマ９の設定時間が経過すれば、自動的にチャンネル記憶手段８に記憶された元のチャンネルに戻るように選局されて目的を達成できる。
【０００９】
次にＣＨリターン処理の概略フローチャート図２で説明する。
Ａで示された一番左の流れはチャンネルリターン処理を行わない通常の選局状態である。次にＢの流れは通常の選局状態から所定のリモコン釦を所定時間以上押し続けたときであり、現在の受信チャンネルをチャンネル記憶手段８に記憶し、減算タイマ９の時間を設定する。その後、更に所定のリモコン釦が押された時はＣの流れとなり、減算タイマ９の時間を更新する。Ｄの流れは減算タイマ９の減算中であり、このときユーザーは他の色々なチャンネルを選局し、減算タイマ９がタイムオーバーになればＥの流れで自動的に元のチャンネルに戻ることができる。
【００１０】
【発明の効果】
以上のように、本発明の選局装置によれば、元のチャンネルを記憶しておいて減算タイマの時間設定をしておけば、その後他の色々なチャンネルを選局しても、設定しておいた減算タイマの時間が経過すれば、自動的に元のチャンネルに戻る機能を実現できて、コマーシャル放送になっている間に他の色々なチャンネルをチェックしている際の見逃しを防止できる。
【図面の簡単な説明】
【図１】本発明の実施の形態におけるブロック図
【図２】本発明のＣＨリターン処理のフローチャート
【符号の説明】
１　リモコン
２　受光部
３　マイコン
４　リモコンコード解読部
５　ＣＨリターン処理部
６　選局処理部
７　画面表示手段
８　チャンネル記憶手段
１０　アンテナ
１１　チューナ
１２　信号処理部
１３　ＣＲＴ
【図１】
2004080655.tif 000003
【図２】
2004080655.tif 000004